(57)【要約】【課題】画質の低下をより抑制する。【解決手段】表示装置は、画像信号に基づき画像を表示する画像表示パネル部と、画像信号に基づく制御信号に応じてディミング制御により画像表示パネル部に発光する光源部と、画像信号に基づいて、光源部の発光輝度の変化態様から画像表示パネル部の表示が動画か静止画かを判定し、判定結果に応じて、ディミング制御の静止画用制御速度と動画用制御速度との間で切り替えを行う制御部と、を有する。この表示装置は、動画または静止画を表示する際に生じる画質の低下を抑制する。【選択図】図１
2016004099.tif 000002
【特許請求の範囲】
【請求項１】
画像信号に基づき画像を表示する画像表示パネル部と、
前記画像信号に基づく制御信号に応じてディミング制御により前記画像表示パネル部に発光する光源部と、
前記画像信号に基づいて、前記光源部の発光輝度の変化態様から前記画像表示パネル部の表示が動画か静止画かを判定し、判定結果に応じて、前記ディミング制御の静止画用制御速度と動画用制御速度との間で切り替えを行う制御部と、
を有する表示装置。
【請求項２】
前記制御部は、
前記画像表示パネル部の表示が動画であることを判定すると、前記静止画用制御速度を前記静止画用制御速度よりも遅い前記動画用制御速度に切り替える、
請求項１記載の表示装置。
【請求項３】
前記制御部は、
前記画像表示パネル部の表示が静止画であることを判定すると、前記動画用制御速度を前記動画用制御速度よりも速い前記静止画用制御速度に切り替える、
請求項１記載の表示装置。
【請求項４】
前記制御部は、
前記画像信号に基づき、前記光源部の発光輝度の変化態様を特定する、
請求項１乃至３のいずれかに記載の表示装置。
【請求項５】
前記制御部は、
前記画像信号から得られる、ＰＷＭのパルス幅に応じて前記発光輝度を変化させるＰＷＭ値に基づき、前記光源部の発光輝度の変化態様を特定する、
請求項４記載の表示装置。
【請求項６】
前記光源部は、複数の光源素子を含み、複数の前記光源素子は、前記ＰＷＭ値に応じそれぞれ発光する、
請求項５記載の表示装置。
【請求項７】
前記制御部は、
同一の判定がされるごとに判定回数を計数し、前記判定回数に応じて、前記静止画用制御速度と前記動画用制御速度との間で切り替えを行う、
請求項１乃至６のいずれかに記載の表示装置。
【請求項８】
前記制御部は、
画素の色相に基づき前記画素の輝度の変換可能な限界値を有して、前記輝度を変換する変換係数を前記画像信号に基づき前記画素ごとに生成し、
前記判定結果に応じて、前記限界値を超えて前記輝度を変換する前記変換係数の割合を設定する、
請求項１記載の表示装置。
【請求項９】
画像表示パネル部と、光源部と、制御部とを含む表示装置の表示方法において、
前記画像表示パネル部が、画像信号に基づき画像を表示し、
前記光源部が、前記画像信号に基づく制御信号に応じてディミング制御により前記画像表示パネル部に発光し、
前記制御部が、前記画像信号に基づいて、前記光源部の発光輝度の変化態様から前記画像表示パネル部の表示が動画か静止画かを判定し、判定結果に応じて、前記ディミング制御の静止画用制御速度と動画用制御速度との間で切り替えを行う、
表示方法。
【発明の詳細な説明】
【技術分野】
【０００１】
本発明は、表示装置及び表示方法に関する。
【背景技術】
【０００２】
入力画像信号に応じてバックライトの輝度を制御して、低消費電力化を図ると共に、動画及び静止画を表示する際の表示品位を向上した表示装置が提案されている（例えば、特許文献１）。
【先行技術文献】
【特許文献】
【０００３】
【特許文献１】特開２０１１−２４８３５２号公報
【発明の概要】
【発明が解決しようとする課題】
【０００４】
本発明は、画質の低下がより抑制された表示装置及び表示方法を提供する。
【課題を解決するための手段】
【０００５】
本発明の一態様は、画像信号に基づき画像を表示する画像表示パネル部と、前記画像信号に基づく制御信号に応じてディミング制御により前記画像表示パネル部に発光する光源部と、前記画像信号に基づいて、前記光源部の発光輝度の変化態様から前記画像表示パネル部の表示が動画か静止画かを判定し、判定結果に応じて、前記ディミング制御の静止画用制御速度と動画用制御速度との間で切り替えを行う制御部と、を有する表示装置である。
【図面の簡単な説明】
【０００６】
【図１】第１の実施形態の表示装置の構成例を示す図である。
【図２】第２の実施形態の表示装置のハードウェア構成例を示す図である。
【図３】第２の実施形態の表示装置の画像表示パネルの構成例を示す図である。
【図４】第２の実施形態の光源装置の構成例を示す図である。
【図５】第２の実施形態の表示装置の機能構成例を示す図である。
【図６】第２の実施形態の表示装置に含まれる信号処理部の機能構成例を示すブロック図である。
【図７】第２の実施形態の表示装置の信号処理部に含まれる光源制御部の機能構成例を示すブロック図である。
【図８】第２の実施形態の表示装置で再現可能な再現ＨＳＶ色空間の概念図である。
【図９】第２の実施形態の表示装置で実行される画像表示の信号処理のフローチャートである。
【図１０】第２の実施形態の表示装置で実行される画像解析処理のフローチャートである。
【図１１】第２の実施形態の表示装置で実行される画像判定処理のフローチャートである。
【図１２】第２の実施形態の表示装置における１画像表示フレーム数に対するＰＷＭ値の変化の一例を示すグラフである。
【発明を実施するための形態】
【０００７】
以下に、実施の形態について、図面を参照して説明する。
なお、開示はあくまでも一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
また、本発明と各図において、既出の図に関して前述したものと同様の要素には、同一の符号を付して、詳細な説明を適宜省略することがある。
【０００８】
［第１の実施形態］
第１の実施形態の表示装置について図１を用いて説明する。
図１は、第１の実施形態の表示装置の構成例を示す図である。
【０００９】
表示装置１は、画像表示パネル部２と、光源部３と、制御部４とを含む。
画像表示パネル部２は、画像信号に基づき画像を表示する。
光源部３は、画像信号に基づく制御信号に応じてディミング制御により画像表示パネル部２に発光する。また、このようにして発光する光源部３は、画像表示パネル部２をその背面または正面から照明する。
【００１０】
このようにして画像表示パネル部２が画像を表示する際に、当該画像が動画である場合には、表示される画像の変化に伴って、光源部３は発光輝度を変動させる。この時、画像の変化に伴い光源部３の発光輝度の変動タイミングがずれてしまうと、表示装置１の表示画像において輝度が急激に変動する領域が生じてしまう。また、表示画像が静止画である場合、特に、動画から静止画に変化した際には、画像の変化に対して光源部３の発光輝度の変動が遅れてしまうことがある。このような光源部３の発光輝度の変動の遅れにより表示画像が波打つように見えてしまう。
【００１１】
そこで、表示装置１では、さらに、下記の制御を行う制御部４を含む。制御部４は、画像信号に基づいて、光源部３の発光輝度の変化態様から画像表示パネル部２の表示が動画か静止画かを判定する。例えば、画像表示パネル部２が表示する画像が動画の場合には、光源部３の発光輝度は経時変化に伴って変動する。そこで、制御部４は、光源部３の発光輝度が変動していることを特定すると、画像表示パネル部２の表示が動画であることを判定する。一方、画像表示パネル部２が表示する画像が静止画の場合には、光源部３の発光輝度は変動せずに一定となる。そこで、制御部４は、光源部３の発光輝度が変化していないことを特定すると、画像表示パネル部２の表示が静止画であることを判定する。制御部４は、このようにして判定した結果に応じて、ディミング制御の静止画用制御速度と動画用制御速度との間で切り替えを行う。
このような構成を含む表示装置１の表示方法について説明する。
【００１２】
表示装置１では、画像信号が入力されると、光源部３は画像信号に基づく制御信号に応じてディミング制御により発光し、発光された画像表示パネル部２は、当該画像信号に基づく画像を表示する。
【００１３】
制御部４は、画像信号に基づいて、光源部３の発光輝度の変化態様を特定する。制御部４は、発光輝度が変化している場合には表示画像が動画であると判定し、光源部３のディミング制御の静止画用制御速度を、静止画用制御速度よりも遅い動画用制御速度に切り替える。この場合には、動画用制御速度が静止画制御速度よりも遅いために、光源部３のディミング制御による発光輝度の制御速度が遅くなり、表示装置１の表示画像における輝度の急激な変動の発生を抑制することができる。
【００１４】
また、制御部４は、発光輝度が変化していない場合には表示画像が静止画であると判定し、光源部３のディミング制御の動画用制御速度を、動画用制御速度よりも速い静止画用制御速度に切り替える。この場合には、静止画用制御速度を動画用制御速度よりも速いために、特に、表示装置１の表示画像が動画から静止画に変動するのに伴い、表示画像の変動に対する光源部３の発光輝度の変動の遅れが抑制されて、表示装置１で表示される画像の波打ちの発生を抑制することができる。
【００１５】
上記表示装置１では、画像信号に基づき画像を表示する画像表示パネル部２と、画像信号に基づく制御信号に応じてディミング制御により画像表示パネル部に発光する光源部３と、制御部４とを含む。制御部４が、画像信号に基づいて、光源部３の発光輝度の変化態様から画像表示パネル部２の表示が動画か静止画かを判定し、判定結果に応じて、ディミング制御の静止画用制御速度と動画用制御速度との間で切り替えを行う。このため、表示装置１では、動画または静止画を表示する際に生じる画質の低下を抑制することができるようになる。
【００１６】
［第２の実施形態］
次に第２の実施形態について、第１の実施形態の表示装置１についてより具体的に説明する。
【００１７】
まず、第２の実施形態の表示装置のハードウェア構成例について図２を用いて説明する。
図２は、第２の実施形態の表示装置のハードウェア構成例を示す図である。
【００１８】
表示装置１００は、図１に示した表示装置１の一実施形態であって、制御ユニット１００ａによって装置全体が制御されている。
制御ユニット１００ａは、ＣＰＵ（Central Processing Unit）１００ａ１と、ＲＡＭ（Random Access Memory）１００ａ２と、ＲＯＭ（Read Only Memory）１００ａ３と、複数の周辺機器がバス１００ｆを介して相互に信号の出入力可能に接続されている。
【００１９】
ＣＰＵ１００ａ１は、ＲＯＭ１００ａ３に格納されるＯＳ（Operating System）のプログラム、アプリケーションプログラム、ＲＡＭ１００ａ２に展開される各種データに基づいて表示装置１００全体の制御を行う。処理実行時にはＲＡＭ１００ａ２に一時的に格納されたＯＳのプログラムやアプリケーションプログラムによって動作するとしてもよい。
【００２０】
ＲＡＭ１００ａ２は、制御ユニット１００ａの主記憶装置として使用される。ＲＡＭ１００ａ２には、ＣＰＵ１００ａ１に実行させるＯＳのプログラム、アプリケーションプログラムの少なくとも一部が一時的に格納される。また、ＲＡＭ１００ａ２には、ＣＰＵ１００ａ１による処理に必要な各種データが格納される。
【００２１】
ＲＯＭ１００ａ３は、読み出し専用の半導体記憶装置で、ＯＳのプログラムと、アプリケーションプログラムと、書き替えをしない固定データとが格納される。また、ＲＯＭ１００ａ３の代わり、あるいはＲＯＭ１００ａ３に加えて、二次記憶装置としてフラッシュメモリ等の半導体記憶装置を使用することもできる。
【００２２】
バス１００ｆに接続されている周辺機器としては、表示用ドライバＩＣ（Integrated Circuit）１００ｂと、光源制御用ドライバＩＣ１００ｃと、入出力インタフェース１００ｄと、通信インタフェース１００ｅとがある。
【００２３】
表示用ドライバＩＣ１００ｂには、画像表示パネル２００が接続されている。表示用ドライバＩＣ１００ｂは、画像表示パネル２００に出力信号を出力することによって画像表示パネル２００に画像を表示する。表示用ドライバＩＣ１００ｂは、後述する画像表示パネル駆動部の少なくとも一部の機能を実現することも可能である。
【００２４】
光源制御用ドライバＩＣ１００ｃには、光源装置３００が接続されている。光源制御用ドライバＩＣ１００ｃは、光源制御信号に応じて光源を駆動し、光源装置３００の輝度を制御する。光源制御用ドライバＩＣ１００ｃは、後述する光源装置駆動部の少なくとも一部の機能を実現する。
【００２５】
入出力インタフェース１００ｄには、利用者の指示を入力する入力装置が接続されている。例えば、キーボード、ポインティングデバイスとして使用されるマウス、タッチパネル等の入力装置が接続される。入出力インタフェース１００ｄは、入力装置から送られてくる信号をＣＰＵ１００ａ１に送信し、ＣＰＵ１００ａ１から送られてくる信号を入力装置に送信する。
【００２６】
通信インタフェース１００ｅは、ネットワーク１０００に接続されている。通信インタフェース１００ｅは、ネットワーク１０００を介して、他のコンピュータまたは通信機器との間でデータの送受信を行う。
【００２７】
以上のようなハードウェア構成によって、本実施の形態の処理機能を実現することができる。
次に、画像表示パネル２００の構成例について、図３を用いて説明する。
【００２８】
図３は、第２の実施形態の表示装置の画像表示パネルの構成例を示す図である。
【００２９】
画像表示パネル２００では、２次元の行列状に配列される画素２０１は、第１副画素２０２Ｒと、第２副画素２０２Ｇと、第３副画素２０２Ｂと、第４副画素２０２Ｗとを有する。なお、第１副画素２０２Ｒは赤色、第２副画素２０２Ｇは緑色、第３副画素２０２Ｂは青色、第４副画素２０２Ｗは白色をそれぞれ表示する。第１副画素２０２Ｒと、第２の副画素２０２Ｇと、第３副画素２０２Ｂとの色は、これに限定されず、補色等、色が異なっていればよい。また、第４副画素２０２Ｗの色は、白色に限らず、例えば、黄色等でもよいが、電力低減には白色が効果的である。なお、第４副画素２０２Ｗは、同じ光源点灯量で照射された場合、第１副画素２０２Ｒと、第２副画素２０２Ｇと、第３副画素２０２Ｂとよりも明るいことが好ましい。以下において、第１副画素２０２Ｒと、第２副画素２０２Ｇと、第３副画素２０２Ｂと、第４副画素２０２Ｗとをそれぞれ区別する必要がないときは、副画素２０２と表記する。
【００３０】
画像表示パネル２００は、より具体的には透過型のカラー液晶表示パネルであり、第１副画素２０２Ｒと、第２副画素２０２Ｇと、第３副画素２０２Ｂと、画像観察者との間には、それぞれ赤色、緑色、青色を通過させるカラーフィルタが配置されている。また、第４副画素２０２Ｗと画像観察者との間にはカラーフィルタが配置されていない。第４副画素２０２Ｗには、カラーフィルタの代わりに透明な樹脂層が備えられていてもよい。このように透明な樹脂層を設けることで、第４副画素２０２Ｗにカラーフィルタを設けないことによって第４副画素２０２Ｗに大きな段差が生じることを抑制することができる。
【００３１】
画像表示パネル駆動部４００を構成する信号出力回路４１０と走査回路４２０とは、それぞれ信号線ＤＴＬと走査線ＳＣＬとを介して画像表示パネル２００の第１〜第４副画素２０２Ｒ，２０２Ｇ，２０２Ｂ，２０２Ｗと電気的に接続されている。副画素２０２は、信号線ＤＴＬに接続されるとともに、スイッチング素子（例えば、薄膜トランジスタＴＦＴ：Thin Film Transistor）を介して走査線ＳＣＬに接続されている。画像表示パネル駆動部４００は、走査回路４２０によって副画素２０２を選択し、信号出力回路４１０から順に映像信号を出力することによって、副画素２０２の動作（光透過率）を制御する。
【００３２】
次に、光源装置３００の構成例について、図４を用いて説明する。
図４は、第２の実施形態の光源装置の構成例を示す図である。
光源装置３００は、導光板３０１と、導光板３０１の少なくとも一側面を入射面Ｅとして、この入射面Ｅに対向する位置に複数の光源３０３を配列したサイドライト光源３０２と、を備えている。複数の光源３０３は、同色（例えば、白色）の発光ダイオード（ＬＥＤ（Light Emitting Diode））であり、個々に独立して電流またはＰＷＭ値（デューティ比等）を制御することができる。光源３０３は、導光板３０１の一側面に沿って並んでおり、光源３０３が並ぶ方向を光源配列方向ＬＹとしたとき、光源配列方向ＬＹに直交する入射方向ＬＸに向けて、入射面Ｅから導光板３０１へ光源３０３の入射光が入光する。光源装置３００は、例えば、このような発光ダイオードを光源に用いた面状光源装置を用いることも可能である。
【００３３】
光源装置駆動部５００は、後述する光源制御信号に基づいて光源３０３に供給する電流、ＰＷＭ値を調整することで、光源３０３の光量を制御し、光源装置３００の輝度（光の強度）を制御（ディミング制御）する。また、光源装置駆動部５００は、このような制御を光源３０３ごとに行う。このような分割駆動（ローカルディミング）制御により、光源装置３００の同一発光面の異なる領域のコントラストを制御することができる。
次に、このような構成を含む表示装置１００が備える機能構成例について、図５を用いて説明する。
【００３４】
図５は、第２の実施形態の表示装置の機能構成例を示す図である。
表示装置１００は、画像入力部１１０と、信号処理部１２０と、画像表示パネル２００と、光源装置３００と、画像表示パネル駆動部４００と、光源装置駆動部５００とを有する。
【００３５】
画像入力部１１０は、入力信号ＳＲＧＢを信号処理部１２０に入力する。入力信号ＳＲＧＢには、第１原色に対する入力信号値ｘ１(p,q)と、第２原色に対する入力信号値ｘ２(p,q)と、第３原色に対する入力信号値ｘ３(p,q)とが含まれる。第２の実施の形態では、第１原色は赤色、第２原色は緑色、第３原色は青色とする。
【００３６】
信号処理部１２０は、画像表示パネル２００を駆動する画像表示パネル駆動部４００と、光源装置３００を駆動する光源装置駆動部５００とに接続する。そして、光源装置３００の輝度をブロック単位に分割駆動する。また、信号処理部１２０は、入力信号ＳＲＧＢに基づき光源装置３００全面の輝度値に関する輝度情報を算出して、算出した輝度情報を出力信号ＳＲＧＢＷに反映し、光源装置駆動部５００に画像を表示させる。出力信号ＳＲＧＢＷには、第１副画素の出力信号値Ｘ１(p,q)、第２副画素の出力信号値Ｘ２(p,q)、第３副画素の出力信号値Ｘ３(p,q)に加え、第４の色を表示する第４副画素の出力信号値Ｘ４(p,q)が含まれる。第２の実施の形態では、第４の色は白色であるとする。信号処理部１２０は、第１の実施形態の制御部４の一実施形態である。
【００３７】
画像表示パネル２００は、画素２０１がＰ×Ｑ個、２次元の行列状に配列されている。
画像表示パネル駆動部４００は、信号出力回路４１０と、走査回路４２０とを備え、画像表示パネル２００を駆動する。画像表示パネル２００と画像表示パネル駆動部４００とは、画像表示パネル部２の一実施形態である。
【００３８】
光源装置３００は、画像表示パネル２００の背面に配置され、画像表示パネル２００に向けて光を照射することで、画像表示パネル２００を照明する。
【００３９】
光源装置駆動部５００は、信号処理部１２０から出力される光源制御信号ＳＢＬに基づいて、光源装置３００の輝度を制御する。光源装置３００と、光源装置駆動部５００とは、光源部３の一実施形態である。
なお、信号処理部１２０の処理動作は、図２に示した、表示用ドライバＩＣ１００ｂまたはＣＰＵ１００ａ１によって実現される。
【００４０】
表示用ドライバＩＣ１００ｂで実現する場合には、ＣＰＵ１００ａ１を介して入力信号ＳＲＧＢが表示用ドライバＩＣ１００ｂに入力される。表示用ドライバＩＣ１００ｂは、出力信号ＳＲＧＢＷを生成し、画像表示パネル２００を制御する。また、光源制御信号ＳＢＬを生成し、バス１００ｆを介して光源制御用ドライバＩＣ１００ｃに出力する。
【００４１】
ＣＰＵ１００ａ１によって実現する場合には、表示用ドライバＩＣ１００ｂには、ＣＰＵ１００ａ１から出力信号ＳＲＧＢＷが入力される。また、光源制御信号ＳＢＬもＣＰＵ１００ａ１によって生成され、バス１００ｆを介して光源制御用ドライバＩＣ１００ｃに出力される。
【００４２】
次に、表示装置１００の信号処理部１２０がさらに備える機能構成例について、図６を用いて説明する。
図６は、第２の実施形態の表示装置に含まれる信号処理部の機能構成例を示すブロック図である。
【００４３】
信号処理部１２０は、タイミング生成部１２１と、画像処理部１２２と、画像解析部１２３と、光源制御部１２４と、を有する。信号処理部１２０には、画像入力部１１０から入力信号ＳＲＧＢを信号処理部１２０の各部に入力する。入力信号ＳＲＧＢは、画像表示パネル２００のそれぞれの画素２０１に対して、その位置で表示する画像の色情報を含んでいる。
【００４４】
タイミング生成部１２１は、１画像表示フレームごとに画像表示パネル駆動部４００と、光源装置駆動部５００との動作タイミングを同期させるための同期信号ＳＴＭを生成する。生成した同期信号ＳＴＭは、画像表示パネル駆動部４００と光源装置駆動部５００とへ出力する。
画像処理部１２２は、入力信号ＳＲＧＢと、光源制御部１２４から入力する画素ごとの光源装置駆動部５００の輝度情報とに基づいて、出力信号ＳＲＧＢＷを生成する。
【００４５】
画像解析部１２３は、画像表示パネル２００の表示面を分割したブロックごとに、ブロックに必要な光源装置３００のブロック対応変換係数を入力信号ＳＲＧＢに基づいて算出する。画素２０１は、第４副画素２０２Ｗを備えることによって画素２０１の輝度を調整（変換）することができる。なお、画素２０１の輝度を変換する変換係数は、入力信号ＳＲＧＢに応じて決定される。光源装置３００の分割駆動制御では、画素２０１の輝度を変換し、画素２０１の輝度が向上した分、光源装置３００の輝度を削減する。画像解析部１２３では、ブロックごとに、対応する入力信号ＳＲＧＢを解析し、光源装置３００の輝度をブロック単位で変換するブロック対応変換係数を算出する。例えば、ブロックの入力信号ＳＲＧＢの彩度及び明度の少なくとも一方に基づいてブロック対応変換係数を算出する。
【００４６】
光源制御部１２４は、画像解析部１２３によって算出された各ブロックのブロック対応変換係数に基づき、サイドライト光源３０２の点灯パターンを決定する。さらに、光源制御部１２４は、当該点灯パターンに基づき、表示画像が動画か静止画かを判定し、判定結果に応じて、サイドライト光源３０２の各光源３０３のディミング制御の制御速度を設定する。
次に、光源制御部１２４がさらに備える機能構成例について、図７を用いて説明する。
図７は、第２の実施形態の表示装置の信号処理部に含まれる光源制御部の機能構成例を示すブロック図である。
【００４７】
なお、図７（Ａ）は、光源制御部１２４に含まれる機能構成例を、図７（Ｂ），（Ｃ）は、光源制御部１２４に保持されるサイドライト光源３０２の任意の光源３０３のフレーム数に対応するＰＷＭ値の変化例をそれぞれ示している。
【００４８】
光源制御部１２４は、図７（Ａ）に示されるように、点灯パターン決定部１２４ａと、ＰＷＭ値算出部１２４ｂと、ＰＷＭ値保持部１２４ｃと、画像判定部１２４ｄと、制御速度設定部１２４ｅとを含む。
【００４９】
点灯パターン決定部１２４ａは、画像解析部１２３によって算出された各ブロックのブロック対応変換係数に基づき、サイドライト光源３０２の各光源３０３の点灯パターンを決定する。なお、光源制御部１２４は、例えば、光源３０３を所定の点灯量で点灯したときに検出される光源装置３００のブロックごとの輝度値の分布に関する輝度分布情報をテーブルとして保持して、ブロック対応変換係数と共に、このテーブルを用いて、点灯パターンを決定する。また、点灯パターン決定部１２４ａは、決定した点灯パターンで点灯させた際の光源装置３００の輝度値に関する輝度情報を画素ごとに算出して、算出した輝度情報を画像処理部１２２に通知する。
【００５０】
ＰＷＭ値算出部１２４ｂは、点灯パターン決定部１２４ａで決定された点灯パターンに基づき、当該点灯パターンで各光源３０３を点灯させるための、各光源３０３に入力するＰＷＭ値を算出する。
【００５１】
ＰＷＭ値保持部１２４ｃは、１画像表示フレームに対して、ＰＷＭ値算出部１２４ｂが算出したＰＷＭ値を光源３０３ごとに保持する。ＰＷＭ値保持部１２４ｃは、サイドライト光源３０２のうち任意の光源３０３について、例えば、図７（Ｂ），（Ｃ）に示されるように、フレーム数ごとのＰＷＭ値の情報を保持する。
【００５２】
画像判定部１２４ｄは、ＰＷＭ値保持部１２４ｃが保持する光源３０３のフレーム数ごとのＰＷＭ値の情報に基づいて、表示画像が動画か静止画かを判定する。また、ＰＷＭ値算出部１２４ｂがＰＷＭ値保持部１２４ｃから光源３０３のフレーム数ごとのＰＷＭ値を取得し、画像判定部１２４ｄは、ＰＷＭ値算出部１２４ｂが取得した光源３０３のフレーム数ごとのＰＷＭ値の情報に基づいて、表示画像の判定を行うことも可能である。
制御速度設定部１２４ｅは、画像判定部１２４ｄの判定結果に基づき、点灯パターン決定部１２４ａで決定された点灯パターンによるサイドライト光源３０２のディミング制御の制御速度を設定する。
【００５３】
次に、画素の輝度を向上する変換係数、または光源装置３００の輝度を削減する変換係数の一態様として、伸張係数αを変換係数に用いた場合について、図８を用いて説明する。
図８は、第２の実施形態の表示装置で再現可能な再現ＨＳＶ色空間の概念図である。
【００５４】
表示装置１００では、画素２０１に第４の色（白色）を出力する第４副画素２０２Ｗを備えることによって、表示装置１００で再現可能な再現ＨＳＶ色空間における明度のダイナミックレンジを広げることができる。なお、Ｈは色相（Hue）、Ｓは彩度（Saturation）、Ｖは明度（Value）を表している。
【００５５】
第４の色を加えた再現ＨＳＶ色空間は、図８に示されるように、第１副画素２０２Ｒと、第２副画素２０２Ｇ、第３副画素２０２Ｂが表示することのできる円柱形状のＨＳＶ色空間に、彩度Ｓが高くなるほど明度Ｖの最大値が低くなる略台形形状となる立体が載っている形状となる。信号処理部１２０には、第４の色を加えることで拡大された再現ＨＳＶ色空間における彩度Ｓを変数とした明度の最大値Ｖｍａｘ（Ｓ）が記憶されている。つまり、信号処理部１２０は、図８に示した再現ＨＳＶ色空間の立体形状について、彩度Ｓと色相Ｈとの座標（値）ごとに明度の最大値Ｖｍａｘ（Ｓ）の値を記憶している。
【００５６】
なお、入力信号ＳＲＧＢは、第１原色、第２原色、第３原色に対応する入力信号値を有する信号であるため、入力信号ＳＲＧＢのＨＳＶ色空間は、円柱形状、すなわち、図８に示した再現ＨＳＶ色空間の円柱形状部分と同じ形状となる。したがって、出力信号ＳＲＧＢＷは、再現ＨＳＶ色空間に対し、入力信号ＳＲＧＢを伸張した伸張画像信号として算出することができる。この伸張画像信号は、再現ＨＳＶ色空間における明度レベルを比較することで決定される伸張係数αによって伸張する。伸張係数αによって入力信号ＳＲＧＢの信号レベルを伸張することで、第４副画素２０２Ｗの値を大きくとることができ、画像全体の輝度を向上することができる。このとき、伸張係数αで画像全体の輝度が向上した分、光源装置３００の輝度を１／αに下げることで、入力信号ＳＲＧＢと全く同じ輝度で表示することが可能となる。
次に、入力信号ＳＲＧＢの伸張について説明する。
【００５７】
信号処理部１２０では、χを表示装置１００に依存した定数としたとき、第（ｐ，ｑ）番目の画素（または第１副画素２０２Ｒ、第２副画素２０２Ｇ、第３副画素２０２Ｂの組）への第１副画素２０２Ｒの出力信号であるＸ１(p,q)、第２副画素２０２Ｇの出力信号であるＸ２(p,q)、第３副画素２０２Ｂの出力信号であるＸ３(p,q)は、伸張係数αと定数χを用いて、次のように表現することができる。χについては後述する。
【００５８】
Ｘ１(p,q)＝α・ｘ１(p,q)−χ・Ｘ４(p,q)                      ・・・（１）
【００５９】
Ｘ２(p,q)＝α・ｘ２(p,q)−χ・Ｘ４(p,q)                      ・・・（２）
【００６０】
Ｘ３(p,q)＝α・ｘ３(p,q)−χ・Ｘ４(p,q)                      ・・・（３）
【００６１】
また、出力信号値Ｘ４(p,q)は、Ｍｉｎ(p,q)と伸張係数αとの積に基づき求めることができる。Ｍｉｎ(p,q)は、第１副画素２０２Ｒの入力信号値ｘ１(p,q)、第２副画素２０２Ｇの入力信号値ｘ２(p,q)、第３副画素２０２Ｂの入力信号値ｘ３(p,q)のうちの最小値である。具体的には、下記の式（４）に基づいて、出力信号値Ｘ４(p,q)を求めることができる。
【００６２】
Ｘ４(p,q)＝Ｍｉｎ(p,q)・α／χ                                ・・・（４）
【００６３】
なお、式（４）では、Ｍｉｎ(p,q)と伸張係数αとの積をχで除しているが、これに限定するものではない。また、伸張係数αは、１画像表示フレームごとに決定される。
以下、これらの点について説明する。
【００６４】
一般に、第（ｐ，ｑ）番目の画素において、第１副画素２０２Ｒの入力信号値ｘ１(p,q)、第２副画素２０２Ｇの入力信号値ｘ２(p,q)、第３副画素２０２Ｂの入力信号値ｘ3(p,q)を含む入力信号ＳＲＧＢに基づき、円柱のＨＳＶ色空間における彩度Ｓ(p,q)と明度Ｖ（Ｓ）(p,q)とは、次の式（５）、（６）から求めることができる。
【００６５】
Ｓ(p,q)＝（Ｍａｘ(p,q)−Ｍｉｎ(p,q)）／Ｍａｘ(p,q)            ・・・（５）
【００６６】
Ｖ（Ｓ）(p,q)＝Ｍａｘ(p,q)                                      ・・・（６）
【００６７】
なお、Ｍａｘ(p,q)は、第１副画素２０２Ｒの入力信号値ｘ１(p,q)、第２副画素２０２Ｇの入力信号値ｘ２(p,q)、第３副画素２０２Ｂの入力信号値ｘ３(p,q)のうちの最大値である。Ｍｉｎ(p,q)は、上記のように、３つの副画素の入力値のうちの最小値である。また、彩度Ｓは０から１までの値をとることができ、明度Ｖ（Ｓ）は０から（２n−１）までの値をとることができる。ｎは、表示階調ビット数である。
【００６８】
ここで、白色を表示する第４副画素２０２Ｗには、カラーフィルタが配置されていない。第４の色を表示する第４副画素２０２Ｗは、同じ光源点灯量で照射された場合、第１原色を表示する第１副画素２０２Ｒ、第２原色を表示する第２副画素２０２Ｇ、第３原色を表示する第３副画素２０２Ｂよりも明るい。第１副画素２０２Ｒに第１副画素２０２Ｒの出力信号の最大信号値に相当する値を有する信号が入力され、第２副画素２０２Ｇに第２副画素２０２Ｇの出力信号の最大信号値に相当する値を有する信号が入力され、第３副画素２０２Ｂに第３副画素２０２Ｂの出力信号の最大信号値に相当する値を有する信号が入力されたときの画素２０１または画素２０１の群が備える第１副画素２０２Ｒ、第２副画素２０２Ｇ、第３副画素２０２Ｂの集合体の輝度をＢＮ1-3とする。また、画素２０１または画素２０１の群が備える第４副画素２０２Ｗの出力信号の最大信号値に相当する値を有する信号が入力されたときの第４副画素２０２Ｗの輝度をＢＮ4としたときを想定する。すなわち、第１副画素２０２Ｒ、第２副画素２０２Ｇ、第３副画素２０２Ｂの集合体によって最大輝度の白色が表示され、この白色の輝度がＢＮ1-3で表される。すると、表示装置１００に依存した定数χは、χ＝ＢＮ4／ＢＮ1-3で表される。
【００６９】
ところで、出力信号値Ｘ４(p,q)が、上記の式（４）で与えられる場合、再現ＨＳＶ色空間における彩度Ｓを変数とした明度の最大値Ｖｍａｘ（Ｓ）は、次の式（７）、（８）で表すことができる。
【００７０】
Ｓ≦Ｓ0の場合、
Ｖｍａｘ（Ｓ）＝（χ＋１）・（２n−１）                          ・・・（７）
【００７１】
Ｓ0＜Ｓ≦１の場合、
Ｖｍａｘ（Ｓ）＝（２n−１）・（１／Ｓ）                          ・・・（８）
【００７２】
ここで、Ｓ0＝１／（χ＋１）である。
【００７３】
このようにして得られた、第４の色を加えることによって再現ＨＳＶ色空間における彩度Ｓを変数とした明度の最大値Ｖｍａｘ（Ｓ）が、例えば、信号処理部１２０に一種のルックアップテーブルとして記憶されている。あるいは、再現ＨＳＶ色空間における彩度Ｓを変数とした明度の最大値Ｖｍａｘ（Ｓ）は、都度、信号処理部１２０において求められる。
【００７４】
伸張係数αは、ＨＳＶ色空間における明度Ｖ（Ｓ）を再現ＨＳＶ色空間に伸張する係数であり、次の式（９）で表すことができる。
【００７５】
α（Ｓ）＝Ｖｍａｘ（Ｓ）／Ｖ（Ｓ）                              ・・・（９）
【００７６】
伸張演算では、例えば、複数の画素２０１において求められたα（Ｓ）に基づき、伸張係数αを決定する。
【００７７】
次に、信号処理部１２０における伸張係数αを用いた信号処理について説明する。なお、以下の処理は、（第１副画素２０２Ｒ＋第４副画素２０２Ｗ）によって表示される第１原色の輝度、（第２副画素２０２Ｇ＋第４副画素２０２Ｗ）によって表示される第２原色の輝度、（第３副画素２０２Ｂ＋第４副画素２０２Ｗ）によって表示される第３原色の輝度の比を保つように行われる。しかも、色調を保持（維持）するように行われる。さらには、階調−輝度特性（ガンマ（γ）特性）を保持（維持）するように行われる。また、いずれかの画素２０１または画素２０１の群において、入力信号値のすべてが０である場合、または小さい場合には、このような画素２０１または画素２０１の群を含めることなく伸張係数αを算出するとしてもよい。
【００７８】
画像解析部１２３における処理について説明する。画像解析部１２３では、ブロックごとに、ブロックに含まれる複数の画素２０１の入力信号ＳＲＧＢに基づき、これらの複数の画素２０１における彩度Ｓ及び明度Ｖ（Ｓ）を求める。具体的には、第（ｐ，ｑ）番目の画素における入力信号値ｘ１(p,q)、入力信号値ｘ２(p,q)、入力信号値ｘ３(p,q)を用いて、式（５）、（６）からＳ(p,q)、Ｖ（Ｓ）(p,q)を求める。この処理をブロック内のすべての画素に対して行う。これにより、（Ｓ(p,q)，Ｖ（Ｓ）(p,q)）の組が、ブロックの画素数分得られる。次いで、画像解析部１２３は、ブロック内の画素において求められたα（Ｓ）の値のうち、少なくとも１つの値に基づいて伸張係数αを求める。例えば、ブロック内の画素について求められたα（Ｓ）のうち、最も小さい値をブロックの伸張係数αとする。こうしてブロックの伸張係数αが算出される。
【００７９】
この手順をブロックごとに繰り返し、すべてのブロックの伸張係数αを算出する。ブロックで必要とされる輝度は、伸張係数αの逆数である１／αによって算出することができる。１／αは、ブロック対応変換係数の一例である。
【００８０】
次に、このような機能構成を含む信号処理部１２０による信号処理について、図９を用いて説明する。
【００８１】
図９は、第２の実施形態の表示装置で実行される画像表示の信号処理のフローチャートである。
【００８２】
表示装置１００では、１画像表示フレームごとに処理が起動され、画像入力部１１０を介して信号処理部１２０に入力信号ＳＲＧＢを入力する。
［ステップＳ１］信号処理部１２０は、入力信号ＳＲＧＢを取得する。
［ステップＳ２］入力信号ＳＲＧＢにガンマ変換を施し、入力信号ＳＲＧＢを線形化する。
【００８３】
［ステップＳ３］画像解析部１２３は、線形化された入力信号ＳＲＧＢを取得し、画像解析処理を行う。画像解析処理では、画像表示パネル２００の表示面を分割したブロックごとに、入力信号ＳＲＧＢに基づく光源装置３００のブロック対応変換係数を算出する。画像解析処理の詳細については後述する。
【００８４】
［ステップＳ４］光源制御部１２４（点灯パターン決定部１２４ａ）は、ブロックごとのブロック対応変換係数を取得し、ブロック対応変換係数を満たす光源３０３の点灯パターンを決定する。
【００８５】
［ステップＳ５］光源制御部１２４は、ステップＳ４で決定された光源３０３の点灯パターンに基づき、入力信号ＳＲＧＢに基づく画像が動画か静止画かを判定する。また、光源制御部１２４は、点灯パターンと、判定結果とに応じて制御速度が設定された光源制御信号ＳＢＬを光源装置駆動部５００へ出力する。画像判定処理の詳細については後述する。
【００８６】
［ステップＳ６］画像処理部１２２は、入力信号ＳＲＧＢから画素ごとに出力信号ＳＲＧＢＷ生成処理を行う。出力信号ＳＲＧＢＷ生成処理では、画素ごとに、光源装置３００の輝度情報から入力信号ＳＲＧＢの伸張係数αを算出し、算出した伸張係数αを用いて入力信号ＳＲＧＢを伸張して、出力信号ＳＲＧＢＷを生成する。
【００８７】
［ステップＳ７］出力信号ＳＲＧＢＷに逆ガンマ変換を施し、画像表示パネル駆動部４００へ出力する。
［ステップＳ８］表示を行う。タイミング生成部１２１が生成した同期信号ＳＴＭによって同期して、画像表示パネル駆動部４００が出力信号ＳＲＧＢＷを画像表示パネル２００に出力して表示画像を表示し、光源装置駆動部５００が、制御速度が変更された光源制御信号ＳＢＬを光源装置３００に出力して光源３０３を駆動する。
【００８８】
このような処理によって、入力信号ＳＲＧＢの画像が画像表示パネル２００に再現される。画像表示パネル２００を照明する光源装置３００は、入力信号ＳＲＧＢに応じてブロックごとに輝度が制御されるので、光源装置３００の輝度を低下させ、消費電力を低減することができる。
【００８９】
次に、上記信号処理（図９）で実行される画像解析処理（ステップＳ３）の詳細について、図１０を用いて説明する。
図１０は、第２の実施形態の表示装置で実行される画像解析処理のフローチャートである。
【００９０】
画像解析部１２３は、入力信号ＳＲＧＢを取得し、以下の処理を開始する。なお、ブロックは、光源装置３００の出射面をＩ×Ｊに分割した領域である。
［ステップＳ１１］画像解析部１２３は、処理対象のブロックを指定するブロック番号ｉ，ｊを初期化（ｉ＝１、ｊ＝１）する。
【００９１】
［ステップＳ１２］画像解析部１２３は、指定されたブロック（ｉ，ｊ）に含まれる画素に対応する入力信号ＳＲＧＢを取得する。
［ステップＳ１３］画像解析部１２３は、各画素のα値を算出する。具体的には、式（５）、（６）を用いて、対象画素の入力信号ＳＲＧＢから円柱のＨＳＶ色空間における彩度Ｓ(p,q)と、明度Ｖ（Ｓ）(p,q)とを求める。こうして得られた彩度Ｓ(p,q)と、明度Ｖ（Ｓ）(p,q)とから、式（９）を用いて画素のα値を求める。同様の手順を繰り返し、ブロック（ｉ，ｊ）に含まれる全画素のα値を算出する。
【００９２】
［ステップＳ１４］画像解析部１２３は、全画素のα値のうち、少なくとも１つに基づいてブロック（ｉ，ｊ）のブロック対応変換係数を決定する。例えば、ブロック（ｉ，ｊ）内の画素のα値のうち最小のα値を選択し、最小のα値の逆数１／αをブロック（ｉ，ｊ）のブロック対応変換係数とする。
【００９３】
［ステップＳ１５］画像解析部１２３は、ブロック番号（ｉ，ｊ）と、最終ブロック番号Ｉ，Ｊとを照合し、最終ブロックであるか否かを判定する。
画像解析部１２３は、ｉ＝Ｉ、ｊ＝Ｊであれば最終ブロックであると判定する。最終ブロックであれば、全ブロックの輝度要求値が算出されたので、処理を終了する。画像解析部１２３は、最終ブロックでなければステップＳ１６の処理に進む。
【００９４】
［ステップＳ１６］画像解析部１２３は、ブロック番号（ｉ，ｊ）を１進め、ステップＳ１２の処理に戻る。
次に、上記信号処理（図９）で実行される画像判定処理（ステップＳ３）について、図１１を用いて説明する。
【００９５】
図１１は、第２の実施形態の表示装置で実行される画像判定処理のフローチャートである。
光源制御部１２４は、１画像表示フレーム（以下では、単に、「フレーム」とする）の点灯パターンが決定されるごとに、以下の処理を実行する。
【００９６】
［ステップＳ２１］光源制御部１２４のＰＷＭ値算出部１２４ｂは、ステップＳ４で決定した点灯パターンから当該点灯パターンで光源３０３を点灯させる１フレームに対するＰＷＭ値を光源３０３ごとに算出する。
【００９７】
ＰＷＭ値算出部１２４ｂは、算出したＰＷＭ値を光源３０３ごとにＰＷＭ値保持部１２４ｃに保持させる。
［ステップＳ２２］光源制御部１２４の画像判定部１２４ｄは、ＰＷＭ値保持部１２４ｃを参照して、本処理対象のフレームのｎフレーム前にフレームがあるか否かを判定する。
【００９８】
画像判定部１２４ｄは、ｎフレーム前にフレームがある場合には、ステップＳ２３の処理に進み、フレームがない場合には画像判定処理を終了する。
例えば、ｎ＝１の場合には、処理対象のフレームに対して１フレーム前にフレームがあるか否かを判定する。具体例として、図７（Ｂ），（Ｃ）では、処理対象が第５フレームであれば、第４フレームがあるか否かを判定する。また、例えば、処理対象が第１フレームであれば、１フレーム前にフレームはないので、画像判定処理を終了する。
【００９９】
また、ｎ＝２の場合には、処理対象のフレームに対して２フレーム前にフレームがあるか否かを判定する。具体例として、図７（Ｂ），（Ｃ）では、処理対象が第５フレームであれば、１フレーム間隔があいた第３フレームがあるか否かを判定する。また、例えば、処理対象が第２フレームであれば、２フレーム前にフレームはないので、画像判定処理を終了する。
【０１００】
このようなフレームを比較する間隔のｎは、表示画像の１秒間当たりに表示されるフレーム数に応じて、予め設定される。また、このようなｎは、後述する画像判定において、動画または静止画ごとにそれぞれ設定することも可能である。
【０１０１】
［ステップＳ２３］画像判定部１２４ｄは、ＰＷＭ値保持部１２４ｃを参照して、処理対象のフレームと、ｎフレーム前のフレームとにおいて、各光源３０３のＰＷＭ値を比較する。
［ステップＳ２４］画像判定部１２４ｄは、処理対象のフレームと、ｎフレーム前のフレームとにおいて、各光源３０３のＰＷＭ値が全て一致するか否かを判定する。
【０１０２】
画像判定部１２４ｄは、ＰＷＭ値が全て一致する場合には、ステップＳ２５の処理を実行し、ＰＷＭ値が一致しない場合には、ステップＳ３０の処理を実行する。
例えば、今回の処理対象のフレーム数が第５フレームである場合、図７（Ｂ）に示されるように、任意の光源３０３のＰＷＭ値が、第４フレームの時も第５フレームの時と変わらずに一定（例えば、１９２）であり、他の光源３０３のＰＷＭ値も同様に一定である場合には、画像判定部１２４ｄは、ステップＳ２５の処理を実行する。
【０１０３】
また、図７（Ｃ）に示されるように、任意の光源３０３のＰＷＭ値が、第４フレームから第５フレームに更新された際に、一定ではなく変動（１２０から１５５）している場合には、画像判定部１２４ｄは、ステップＳ３０の処理を実行する。
【０１０４】
［ステップＳ２５］画像判定部１２４ｄは、動画の表示回数を表す動画フラグカウンタをリセットする。
［ステップＳ２６］画像判定部１２４ｄは、静止画の表示回数を表す静止画フラグカウンタに１を追加する。
【０１０５】
［ステップＳ２７］画像判定部１２４ｄは、１が追加された静止画フラグカウンタが所定の閾値以上であるか否かを判定する。
画像判定部１２４ｄは、静止画フラグカウンタが所定の閾値以上である場合には、ステップＳ２８の処理を実行し、所定の閾値未満である場合には、画像判定処理を終了する。
【０１０６】
例えば、閾値のフレーム数が５である場合、第１フレームから第４フレームにおいて任意の光源３０３のＰＷＭ値が一定であって、他の光源３０３のＰＷＭ値も同様に一定であるとする。今回（第５フレーム）も光源３０３のＰＷＭ値が前回と同じである場合、静止画フラグカウンタは１が追加されて閾値の５となり、画像判定部１２４ｄは、ステップＳ２８の処理を実行する。
【０１０７】
［ステップＳ２８］画像判定部１２４ｄは、フレーム数が変化しても、画像に変化がないことから、表示画像が静止画であることを判定する。
［ステップＳ２９］制御速度設定部１２４ｅは、点灯パターンに応じた光源制御信号ＳＢＬに基づくディミング制御において、静止画用の（動画用よりも速い）制御速度に設定する。
【０１０８】
［ステップＳ３０］画像判定部１２４ｄは、静止画フラグカウンタをリセットする。
［ステップＳ３１］画像判定部１２４ｄは、動画フラグカウンタに１を追加する。
［ステップＳ３２］画像判定部１２４ｄは、１が追加された動画フラグカウンタが所定の閾値以上であるか否かを判定する。
【０１０９】
画像判定部１２４ｄは、動画フラグカウンタが所定の閾値以上である場合には、ステップＳ３３の処理を実行し、所定の閾値未満である場合には、画像判定処理を終了する。
例えば、閾値のフレーム数が５である場合、第１フレームから第４フレームにおいて任意の光源３０３のＰＷＭ値が一定ではなく変動しているとする。今回（第５フレーム）も光源３０３のＰＷＭ値が前回と異なる場合、動画フラグカウンタは１が追加されて閾値の５となり、画像判定部１２４ｄは、ステップＳ３３の処理を実行する。
【０１１０】
［ステップＳ３３］画像判定部１２４ｄは、フレーム数の変化に伴って、画像の変化が生じていることから、表示画像が動画であることを判定する。
［ステップＳ３４］制御速度設定部１２４ｅは、点灯パターンに応じた光源制御信号ＳＢＬに基づくディミング制御において、動画用の（静止画用よりも遅い）制御速度に設定する。
【０１１１】
［ステップＳ３５］制御速度設定部１２４ｅは、制御速度を設定した光源制御信号ＳＢＬを光源装置駆動部５００に出力する。
なお、上記説明で用いたステップＳ２７，Ｓ３２のフレーム数の閾値（５）は一例であって、他の値を用いることが可能であり、また、ステップＳ２７，Ｓ３２で異なる閾値を設定することも可能である。
【０１１２】
表示装置１００では、このような画像判定処理の結果に応じて、動画用または静止画用の制御速度が設定された光源制御信号ＳＢＬが光源装置駆動部５００に出力されて、光源装置３００が発光して、画像が表示される。
【０１１３】
次に、このような表示装置１００で画像を表示する際の光源装置３００のフレームごとのＰＷＭ値の変化について図１２を用いて説明する。
図１２は、第２の実施形態の表示装置における１画像表示フレーム数に対するＰＷＭ値の変化の一例を示すグラフである。
【０１１４】
なお、図１２では、制御速度の設定がない場合を破線で、制御速度の設定がある場合を実線で表している。また、図１２（Ａ），（Ｂ）は、横軸がフレーム数に、縦軸がＰＷＭ値にそれぞれ対応しており、画像判定を行うための閾値のフレーム数の一例として、２としている。また、図１２（Ａ）は、表示画像が静止画から動画に変わった場合を、図１２（Ｂ）は、表示画像が動画から静止画に変わった場合をそれぞれ示している。
【０１１５】
図１２（Ａ）の場合には、ＰＷＭ値が第１０フレームまで一定であって表示画像が静止画であるものの、ＰＷＭ値は第１１フレームで変動し、第１２フレームでも変動して、２フレーム続けて変動している（図１２（Ａ）中の破線）。この際、画像判定部１２４ｄはＰＷＭ値のこのような変動から、表示画像が動画であることを判定し、光源３０３のディミング制御に対して、静止画用の制御速度よりも遅い、動画用の制御速度に設定する（図１２（Ａ）中の実線）。動画用の制御速度に設定されると、第ｍフレームのＰＷＭ値から、第ｍ＋１フレームのＰＷＭ値に到達する時間が遅くなり、図１２（Ａ）に示されるように、ＰＷＭ値が、フレーム数の変化に応じて、急激な変動をしなくなり、なだらかに変動するようになる。このため、光源装置３００のディミング制御による発光輝度の変動も遅くなることから、表示装置１００の表示画像における輝度の急激な変動の発生を抑制することができる。
【０１１６】
図１２（Ｂ）の場合には、ＰＷＭ値が第１０フレームまでフレームごとに変動して表示画像が動画であるものの、第１１フレームで変化してから、第１２フレームでも同じ値となり、２フレーム続けて一定となっている（図１２（Ｂ）中の破線）。この際、画像判定部１２４ｄは、表示画像が静止画であることを判定し、光源３０３のディミング制御に対して、動画用の制御速度よりも速い、静止画用の制御速度に設定する（図１２（Ｂ）中の実線）。静止画用の制御速度に設定されると、第ｍフレームのＰＷＭ値から、第ｍ＋１フレームのＰＷＭ値に到達する時間が早くなる。このため、図１２（Ｂ）に示されるように、特に、表示画像が動画から静止画に変化する際に、表示画像の変化に対する光源装置３００の発光輝度の変動の遅れが抑制されて、光源装置３００の発光輝度の変動が画像の変化に追随し、表示装置１００で表示される画像の波打ちの発生を抑制することができる。
【０１１７】
このようにして表示装置１００は、動画または静止画を表示する際に生じる画質の低下を抑制することができるようになる。
また、入力信号ＳＲＧＢから得られる各画素に対応する伸張係数αは、図８の再現ＨＳＶ色空間を超えず、画質を劣化せずに画素に対応する入力信号ＳＲＧＢを伸張できるものと、再現ＨＳＶ色空間を超えてしまい画質が劣化して画素に対応する入力信号ＳＲＧＢを伸張できないものとがある。この割合に応じて、画質は劣化するものの消費電力を抑制し（電力削減優先モード）、または、消費電力の抑制は図れないものの画質を向上させる（画質優先モード）。
【０１１８】
表示装置１００の表示画像が動画の場合には、画像は変動することから、ある程度の画質の劣化が許容される。一方、表示装置１００の表示画像が静止画の場合には、画像は変動しないことから、ある程度の画質が維持されることが望まれる。
【０１１９】
そこで、表示装置１００では、表示画像が動画の場合に、制御速度設定部１２４ｅにより動画用の制御速度に設定する（ステップＳ３４）と共に、色空間を超えるような伸張係数αの割合を増加させるような電力削減優先モードに設定する。一方、表示画像が静止画の場合に、制御速度設定部１２４ｅにより静止画用の制御速度に設定する（ステップＳ２９）と共に、色空間を超えるような伸張係数αの割合を減らすような画質優先モードに設定する。
【０１２０】
これにより、表示装置１００は、動画または静止画を表示する際に生じる画質の低下を抑制しつつ、低消費電力化または更なる画質の向上を図ることができるようになる。
【０１２１】
なお、上記の処理機能は、コンピュータによって実現することができる。その場合、表示装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリなどがある。磁気記憶装置には、ハードディスクドライブ（ＨＤＤ:Hard Disk Drive）、フレキシブルディスク（ＦＤ）、磁気テープなどがある。光ディスクには、ＤＶＤ（Digital Versatile Disc）、ＤＶＤ−ＲＡＭ、ＣＤ（Compact Disc）−ＲＯＭ、ＣＤ−Ｒ（Recordable）／ＲＷ（ReWritable）などがある。光磁気記録媒体には、ＭＯ（Magneto-Optical disk）などがある。
【０１２２】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１２３】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、ネットワークを介して接続されたサーバコンピュータからプログラムが転送されるごとに、逐次、受け取ったプログラムにしたがった処理を実行することもできる。
【０１２４】
また、上記の処理機能の少なくとも一部を、ＤＳＰ（Digital Signal Processor）、ＡＳＩＣ（Application Specific Integrated Circuit）、ＰＬＤ（Programmable Logic Device）などの電子回路で実現することもできる。
【０１２５】
本実施の形態においては、液晶表示装置の場合を例示したが、その他の適用例として、その他の自発光型表示装置、あるいは電気泳動素子等を有する電子ペーパー型表示装置等、あらゆるフラットパネル型の表示装置が挙げられる。また、中小型から大型まで、特に限定することなく適用が可能であることは言うまでもない。
【０１２６】
本発明の思想の範疇において、当業者であれば、各種の変更例及び修正例に想到し得るものであり、それら変更例及び修正例についても本技術の範囲に属するものと了解される。例えば、前述の各実施の形態に対して、当業者が適宜、構成要素の追加、削除若しくは設計変更を行ったもの、又は、工程の追加、省略若しくは条件変更を行ったものも、本技術の要旨を備えている限り、本技術の範囲に含まれる。
【０１２７】
また、本実施の形態において述べた態様によりもたらされる他の作用効果について本明細書の記載から明らかなもの、又は当業者において適宜想到し得るものついては、当然に本発明によりもたらされるものと解される。
【０１２８】
（１）開示される発明の一態様は、
画像信号に基づき画像を表示する画像表示パネル部と、
前記画像信号に基づく制御信号に応じてディミング制御により前記画像表示パネル部に発光する光源部と、
前記画像信号に基づいて、前記光源部の発光輝度の変化態様から前記画像表示パネル部の表示が動画か静止画かを判定し、判定結果に応じて、前記ディミング制御の静止画用制御速度と動画用制御速度との間で切り替えを行う制御部と、
を有する表示装置である。
【０１２９】
（２）開示される発明の一態様は、
前記制御部は、
前記画像表示パネル部の表示が動画であることを判定すると、前記静止画用制御速度を前記静止画用制御速度よりも遅い前記動画用制御速度に切り替える、
（１）記載の表示装置である。
【０１３０】
（３）開示される発明の一態様は、
前記制御部は、
前記画像表示パネル部の表示が静止画であることを判定すると、前記動画用制御速度を前記動画用制御速度よりも速い前記静止画用制御速度に切り替える、
（１）記載の表示装置である。
【０１３１】
（４）開示される発明の一態様は、
前記制御部は、
前記画像信号に基づき、前記光源部の発光輝度の変化態様を特定する、
（１）乃至（３）のいずれかに記載の表示装置である。
【０１３２】
（５）開示される発明の一態様は、
前記制御部は、
前記画像信号から得られる、ＰＷＭのパルス幅に応じて前記発光輝度を変化させるＰＷＭ値に基づき、前記光源部の発光輝度の変化態様を特定する、
（４）記載の表示装置である。
【０１３３】
（６）開示される発明の一態様は、
前記光源部は、複数の光源素子を含み、複数の前記光源素子は、前記ＰＷＭ値に応じそれぞれ発光する、
（５）記載の表示装置である。
【０１３４】
（７）開示される発明の一態様は、
前記制御部は、
同一の判定がされるごとに判定回数を計数し、前記判定回数に応じて、前記静止画用制御速度と前記動画用制御速度との間で切り替えを行う、
（１）乃至（６）のいずれかに記載の表示装置である。
【０１３５】
（８）開示される発明の一態様は、
前記制御部は、
画素の色相に基づき前記画素の輝度の変換可能な限界値を有して、前記輝度を変換する変換係数を前記画像信号に基づき前記画素ごとに生成し、
前記判定結果に応じて、前記限界値を超えて前記輝度を変換する前記変換係数の割合を設定する、
（１）記載の表示装置である。
【０１３６】
（９）開示される発明の一態様は、
画像表示パネル部と、光源部と、制御部とを含む表示装置の表示方法において、
前記画像表示パネル部が、画像信号に基づき画像を表示し、
前記光源部が、前記画像信号に基づく制御信号に応じてディミング制御により前記画像表示パネル部に発光し、
前記制御部が、前記画像信号に基づいて、前記光源部の発光輝度の変化態様から前記画像表示パネル部の表示が動画か静止画かを判定し、判定結果に応じて、前記ディミング制御の静止画用制御速度と動画用制御速度との間で切り替えを行う、
表示方法である。
【符号の説明】
【０１３７】
１・・・表示装置、２・・・画像表示パネル部、３・・・光源部、４・・・制御部
【図１】
2016004099.tif 000003
【図２】
2016004099.tif 000004
【図３】
2016004099.tif 000005
【図４】
2016004099.tif 000006
【図５】
2016004099.tif 000007
【図６】
2016004099.tif 000008
【図７】
2016004099.tif 000009
【図８】
2016004099.tif 000010
【図９】
2016004099.tif 000011
【図１０】
2016004099.tif 000012
【図１１】
2016004099.tif 000013
【図１２】
2016004099.tif 000014